(57)【要約】  最適な音場を広い範囲に形成でき、小型化（スリム化）が図りやすく、且つ、テレビ用に利用しても音質の劣化が生じにくいスピーカシステムを実現する。スピーカシステム（１００）は、互いの音声出力面が対向している２つのスピーカ（１２０）を備えている。スピーカシステム（１００）は２つのスピーカ（１２０）の間にディフューザ（１１０）を備え、ディフューザ（１１０）は、２つのスピーカ（１２０）が発した音を特定の半空間内方向に反射する。
2017002876.tif 000002
【特許請求の範囲】
【請求項１】
互いの音声出力面が対向している第１のスピーカおよび第２のスピーカを備えたスピーカシステムであって、
第１のスピーカと第２のスピーカとの間に設けられ、第１のスピーカおよび第２のスピーカが発した音を反射するディフューザを備え、
上記ディフューザは、特定の半空間内方向に、第１のスピーカおよび第２のスピーカが発した音を反射する、ことを特徴とするスピーカシステム。
【請求項２】
互いに直交する第１軸、第２軸及び第３軸が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、
上記ディフューザの全ての反射面上の全ての位置における法線ベクトルの第２軸成分の値は、正負が同じ値である、ことを特徴とする請求項１に記載のスピーカシステム。
【請求項３】
上記ディフューザが、第１軸に垂直な面を対称面とする面対称な形状を呈している、ことを特徴とする請求項２に記載のスピーカシステム。
【請求項４】
互いの音声出力面が対向している第１のスピーカおよび第２のスピーカを備えたスピーカシステムであって、
第１のスピーカおよび第２のスピーカが発した音を反射するディフューザを備え、
互いに直交する第１軸、第２軸及び第３軸が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、
上記ディフューザの全ての反射面上の全ての位置における法線ベクトルの第２軸成分の値は、正負が同じ値である、ことを特徴とするスピーカシステム。
【請求項５】
請求項１〜４のいずれか１項に記載のスピーカシステムと表示パネルとを備えた表示装置。
【請求項６】
互いの音声出力面が対向している第１のスピーカおよび第２のスピーカを備えたスピーカシステムにおいて、
第１のスピーカと第２のスピーカとの間に設けられ、第１のスピーカおよび第２のスピーカが発した音を反射するディフューザを備え、
上記ディフューザが第３のスピーカを備えている、ことを特徴とするスピーカシステム。
【請求項７】
第１のスピーカ及び第２のスピーカが担当する音域の一部は、第３のスピーカが担当する音域よりも低いことを特徴とする請求項６に記載のスピーカシステム。
【請求項８】
第１のスピーカ及び第２のスピーカがミッドバススピーカであり、第３のスピーカがツイータである、ことを特徴とする請求項６または７に記載のスピーカシステム。
【請求項９】
第１のスピーカ及び第２のスピーカがミッドバススピーカであり、第３のスピーカがスコーカである、ことを特徴とする請求項６または７に記載のスピーカシステム。
【請求項１０】
互いに直交する第１軸、第２軸及び第３軸が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、
上記ディフューザは、第１軸に垂直な面を対称面とする面対称な形状をしている、ことを特徴とする請求項６から９のいずれか１項に記載のスピーカシステム。
【請求項１１】
上記対称面は、第１のスピーカの音声出力面からの距離と第２のスピーカの音声出力面からの距離とが等しい面であり、
上記ディフューザは、上記対称面を跨る位置に第３のスピーカを備えている、ことを特徴とする請求項１０に記載のスピーカシステム。
【請求項１２】
出力する音声の種類を判定する判定部と、
上記判定部の判定結果を用いて、上記第１のスピーカ及び第２のスピーカによる出力と、上記第３のスピーカによる出力との比率を制御する出力制御部と、をさらに備えることを特徴とする請求項６〜１１のいずれか１項に記載のスピーカシステム。
【請求項１３】
請求項６〜１２のいずれか１項に記載のスピーカシステムと表示パネルとを備えた表示装置。
【請求項１４】
上記スピーカシステムが上記表示パネルの左右に設けられており、
２つの上記スピーカシステムの各々について、該スピーカシステムが備える第３のスピーカの音声出力面が上記表示パネルの法線方向よりも上記表示パネル側に傾いた方向を向いている、ことを特徴とする請求項１３に記載の表示装置。
【請求項１５】
互いの音声出力面が対向している第１のスピーカおよび第２のスピーカを備え、
第１のスピーカが入っている第１のエンクロージャ部と第２のスピーカが入っている第２のエンクロージャ部との間に、第１のエンクロージャ部と第２のエンクロージャ部とを連結する壁状の連結部材を備えている、ことを特徴とするスピーカシステム。
【請求項１６】
上記連結部材の全体又は一部が吸音材料でできている、ことを特徴とする請求項１５に記載のスピーカシステム。
【請求項１７】
第１のスピーカと第２のスピーカとの間に設けられ、第１のスピーカおよび第２のスピーカが発した音を反射するディフューザを備え、
上記ディフューザが上記連結部材に取り付けられている、ことを特徴とする請求項１５または１６に記載のスピーカシステム。
【請求項１８】
互いに直交する第１軸、第２軸及び第３軸が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、
上記壁状の連結部材は、第１軸に垂直な四方のうちの三方が上記連結部材によって囲まれた空間を内側に形成しており、
上記空間に充填部材が充填されている、ことを特徴とする請求項１７に記載のスピーカシステム。
【請求項１９】
上記充填部材が充填された連結部材と上記ディフューザとに囲まれた空間が別の充填部材によって充填されている、ことを特徴とする請求項１８に記載のスピーカシステム。
【請求項２０】
請求項１５〜１９のいずれか１項に記載のスピーカシステムと表示パネルとを備えた表示装置。
【請求項２１】
上記表示パネルの筐体の周囲に上記スピーカシステムが配置されており、
上記連結部材の壁面と上記筐体の背面とが面一になっている、ことを特徴とする請求項２０に記載の表示装置。
【請求項２２】
請求項５，１３，１４，２０，２１の何れか１項に記載の表示装置を備えたテレビジョン受像機。
【発明の詳細な説明】
【技術分野】
【０００１】
本発明は、スピーカシステム、及び、スピーカシステムを備えた表示装置に関する。
【背景技術】
【０００２】
従来、スピーカシステムは、２つの直接放射型のスピーカを、音声の出力面（つまり、スピーカを構成する振動板）が同一の方向を向くように並列に配置されて（単に、左右に配置されているとも記載する）構成されている。このような従来のスピーカシステムは、左右に配置された各スピーカからの距離の等しい位置には最適な音場を形成することができるものの、２つのスピーカからの距離の等しい位置からずれた位置には、最適な音場を形成することができない。【０００３】
そのため、最近では、互いの音声出力面が対向している１対のスピーカユニットと各スピーカユニットが発する音を聴取者の居る方向に反射する反射部材とが設けられたスピーカ装置（対向配置型のスピーカ装置）が提案されている。【０００４】
例えば、特許文献１には、ツイータが発した音及び１対の中間域ドライバが発した音を導波路が全周方向に反射する無指向性のスピーカ装置が開示されている。また、特許文献２には、１対のスピーカが発した音を反射板が特定の空間内方向に反射する指向性の低いスピーカシステム（特許文献２の図９のスピーカシステム）が開示されている。【０００５】
これらのスピーカ装置は、最適な音場を周囲の広い範囲に形成できるため、周囲に多くの聴取者が居る場合であっても、各聴取者に優れた音質の音を聞かせることができる。【０００６】
また、特許文献２のスピーカシステムは、テレビ用のスピーカシステムとしての利用にも適していると言える。ユーザが、テレビ用のスピーカシステムとして利用するために特許文献２のスピーカシステムをテレビの左右に配置し、該スピーカシステムに音を出力させた場合であっても、上記１対のスピーカを囲むように配置されている反射板が、テレビの背面側に音が回りこむことによる音質の低下を抑制するからである。
【先行技術文献】
【特許文献】
【０００７】
【特許文献１】特許５６６２４６２号公報（２０１５年１月２８日発行）
【特許文献２】特開２０１４−１０７７５１号公報（２０１４年６月９日公開）
【発明の概要】
【発明が解決しようとする課題】
【０００８】
しかしながら、特許文献１のスピーカ装置及び特許文献２のスピーカシステムには、以下の問題がある。【０００９】
即ち、ユーザが、テレビ用のスピーカとして利用するために特許文献１のスピーカ装置をテレビの左右に配置し、該スピーカ装置に音を出力させた場合、テレビの背面側に音が回りこむことによる音質の劣化が生じ易い、という問題がある。【００１０】
一方、特許文献２のスピーカシステムには、上記のような音質の劣化は生じにくいものの、反射板が１対のスピーカユニットを囲むように配置されているために小型化（スリム化）が図りにくいという問題があった。【００１１】
また、特許文献１の段落００１０から明らかなように、特許文献１のスピーカ装置は、指向性の高い３ＫＨｚ〜８ＫＨｚの範囲の音をツイータおよび中間域ドライバの両方から出力する。そして、特許文献１のスピーカ装置においては、ツイータが発した音を反射する導波路と、１対の中間域ドライバが発した音を反射する１対の導波路とが互いに離れた位置に設けられている。【００１２】
そのため、特許文献１のスピーカ装置には、「２つの異なる方向から同じ内容の指向性の高い音が聞こえることに対して、一部の聴取者が違和感を受けることがある」という問題がある。【００１３】
また、特許文献２のスピーカシステムには、反射板が１対のスピーカユニットを囲むように配置されているために小型化（スリム化）が図りにくいという問題がある。【００１４】
本発明は、上記の課題に鑑みて成されたものであり、その主な目的は、（１）最適な音場を広い範囲に形成でき、小型化（スリム化）が図りやすく、尚且つ、テレビ用のスピーカシステムとして利用しても音質の劣化が生じにくいスピーカシステムを実現し、（２）対向配置された１対のスピーカを含むスピーカ群が発する音を、聴取者に違和感を与えることなく聞かせることが可能なスピーカシステムを実現し、（３）最適な音場を広い範囲に形成でき、小型化（スリム化）が可能であり、且つ、テレビ用のスピーカシステムとして利用しても音質の低下が生じにくいスピーカシステムを実現することにある。
【課題を解決するための手段】
【００１５】
上記の課題を解決するために、本発明の一態様に係るスピーカシステムは、互いの音声出力面が対向している第１のスピーカおよび第２のスピーカを備えたスピーカシステムであって、第１のスピーカと第２のスピーカとの間に設けられ、第１のスピーカおよび第２のスピーカが発した音を反射するディフューザを備え、上記ディフューザは、特定の半空間内方向に、第１のスピーカおよび第２のスピーカが発した音を反射する。【００１６】
上記の課題を解決するために、本発明の一態様に係るスピーカシステムは、互いの音声出力面が対向している第１のスピーカおよび第２のスピーカを備えたスピーカシステムにおいて、第１のスピーカと第２のスピーカとの間に設けられ、第１のスピーカおよび第２のスピーカが発した音を反射するディフューザを備え、上記ディフューザが第３のスピーカを備えている。【００１７】
上記の課題を解決するために、本発明の一態様に係るスピーカシステムは、互いの音声出力面が対向している第１のスピーカおよび第２のスピーカを備え、第１のスピーカが入っている第１のエンクロージャ部と第２のスピーカが入っている第２のエンクロージャ部との間に、第１のエンクロージャ部と第２のエンクロージャ部とを連結する壁状の連結部材を備えている。
【発明の効果】
【００１８】
本発明の一態様に係るスピーカシステムには、最適な音場を広い範囲に形成でき、小型化（スリム化）が図りやすく、且つ、テレビ用のスピーカシステムとして利用しても音質の劣化が生じにくい、という利点がある。【００１９】
さらに、本発明の一態様によれば、対向配置された１対のスピーカを含むスピーカ群が発する音を、聴取者に違和感を与えることなく聞かせることができる、という効果を奏する。
【図面の簡単な説明】
【００２０】
【図１】本発明の実施形態１、２に係るスピーカシステムの平面図、右側面図、左側面図、及び、正面図からなる１組の図である。
【図２】本発明の実施形態１、２に係るスピーカシステムの斜視図である。
【図３】本発明の実施形態１、２に係るスピーカシステムの別の斜視図である。
【図４】本発明の実施形態１、２に係るスピーカシステムが備えるディフューザを表す六面図である。
【図５】本発明の実施形態１、２に係るスピーカシステムが備えるディフューザの斜視図である。
【図６】本発明の実施形態１、２に係るスピーカシステムが備えるディフューザの各種断面図である。
【図７】本発明の実施形態１、２に係るスピーカシステムが表示パネルの筐体の左右に設けられたテレビジョン受像機における、２つのスピーカシステムと表示パネルの筐体との位置関係を説明するための図である。
【図８】本発明の様々な実施形態に係るスピーカシステムにおけるディフューザ周辺の構造を説明するための図である。
【図９】本発明の更に別の実施形態に係るスピーカシステムの外観を概略的に示す図である。
【図１０】本発明の更に別の実施形態に係るスピーカシステムの外観を概略的に示す図である。
【図１１】スピーカシステムの指向性を説明するための図である。
【図１２】図１０に示すスピーカシステムの駆動制御部の概略ブロック図である。
【図１３】ソースジャンルと各スピーカの出力割合との対応関係を示す図である。
【発明を実施するための形態】
【００２１】
〔実施形態１〕
以下、本実施形態に係るスピーカシステム、及び、そのようなスピーカシステムを表示画面の左右（周囲）に設けられた本実施形態に係るテレビジョン受像機について、図面を参照しながら説明する。
【００２２】
（スピーカシステムの構成）
まず、本実施形態に係るスピーカシステムの構成について図１〜図３を参照しながら説明する。
【００２３】
図１は、本実施形態に係るスピーカシステム１００の平面図、右側面図、左側面図、及び、正面図からなる１組の図である。具体的には、図１の（ａ）がスピーカシステム１００の平面図を示しており、図１の（ｂ）及び（ｄ）が、スピーカシステム１００の左右の側面図を示しており、図１の（ｃ）が、スピーカシステム１００の正面図を示している。
【００２４】
図２及び図３は、スピーカシステム１００の斜視図である。なお、図２の（ａ）におけるＯは、図１の（ｂ）に示されているＸＹＺ空間座標系（互いに直交する第Ｘ軸、第Ｙ軸及び第Ｚ軸が規定された空間座標系）における原点の位置を示している。
【００２５】
図１〜図３からわかるように、スピーカシステム１００は、互いの音声出力面（第１のスピーカ１２０Ａの音声出力面１２１Ａ、及び、第２のスピーカ１２０Ｂの音声出力面１２１Ｂ）が対向している２つのスピーカ１２０（第１のスピーカ１２０Ａ、及び、第２のスピーカ１２０Ｂ）を備えている。
【００２６】
２つのスピーカ１２０は、同じアンプ（図示せず）に接続され、同じ音を発するスピーカユニットである。なお、本実施形態では２つのスピーカ１２０は中低音出力用のスピーカ（ミッドバススピーカ）であるが、２つのスピーカ１２０は、他の種類のスピーカ（例えば、ツイータやスコーカ、ミッドハイスピーカ等）であってもよい。
【００２７】
スピーカシステム１００は、第１のスピーカ１２０Ａが発した音、及び、第２のスピーカ１２０Ｂが発した音を特定の半空間内方向に反射するディフューザ（音響拡散器）１１０を備えている。ここで、特定の半空間とは、具体的には、上記ＸＹＺ空間座標系におけるＹ座標値が正であるような無数の座標からなる半空間のことを指している。
【００２８】
図１の（ｂ）からわかるように、上記ＸＹＺ空間座標系で表わされる空間内（空間内部の位置が上記ＸＹＺ空間座標系の座標値で表わされる空間内）において、第１のスピーカ１２０Ａ、第２のスピーカ１２０Ｂ、および、ディフューザ１１０が、Ｚ軸（第１軸）に沿って、第１のスピーカ１２０Ａ、ディフューザ１１０、第２のスピーカ１２０Ｂの順に並置されている。
【００２９】
また、スピーカシステム１００は、２つのエンクロージャ部１３０（第１のスピーカ１２０Ａが入っている第１のエンクロージャ部１３０Ａ、及び、第２のスピーカ１２０Ｂが入っている第２のエンクロージャ部１３０Ｂ）を備えている。図１の（ｂ）、（ｄ）、及び図２の（ａ）からわかるように、スピーカシステム１００は、２つのエンクロージャ部１３０の間に、第１のエンクロージャ部１３０Ａと第２のエンクロージャ部１３０Ｂとを連結する壁状（本実施形態では、コの字状）の連結部材１４０を備えている。
【００３０】
ディフューザ１１０は、この連結部材１４０に取り付けられている。
【００３１】
なお、コの字状の連結部材１４０におけるコの字の内側には、吸音材が取り付けられていてもよいし、連結部材１４０の全部または一部が吸音材料でできていてもよい。
【００３２】
以下、ディフューザ１１０の構造について更に図４〜図６を参照しながら詳細に説明する。
【００３３】
図４は、スピーカシステム１００が備えるディフューザ１１０を表す六面図である。
【００３４】
具体的には、図４の（ａ）、（ｂ）及び（ｃ）は、それぞれ、平面図、右側面図、及び、正面図を示している。図４の（ｄ）、（ｅ）及び（ｆ）は、それぞれ、左側面図、背面図、及び、底面図を示している。
【００３５】
図５は、ディフューザ１１０の斜視図である。また、図６は、ディフューザ１１０の各種断面図である。
【００３６】
具体的には、図６の（ａ）及び（ｂ）は、それぞれ、Ａ−Ａ’線断面図、及び、Ａ−Ａ’線切断部断面図である。図６の（ｃ）及び（ｄ）は、それぞれ、Ｂ−Ｂ’線断面図、及び、Ｂ−Ｂ’線切断部断面図である。図６の（ｅ）及び（ｆ）は、それぞれ、Ｃ−Ｃ’線断面図、及び、Ｃ−Ｃ’線切断部断面図である。
【００３７】
図１、図４及び図５からわかるように、ディフューザ１１０は、ＸＹ平面（第１軸に垂直な平面）を対称面とする面対称（略面対称）な形状を呈している。図１及び図３からわかるように、上記対称面は、第１のスピーカ１２０Ａの音声出力面１２１Ａからの距離と第２のスピーカ１２０Ｂの音声出力面１２１Ｂからの距離とが略等しい面である。なお、上記対称面は、両方の距離が完全に等しい面であってもよい。また、ディフューザ１１０は、ＸＹ平面（第１軸に垂直な平面）を対称面とする完全に面対称な形状を呈していてもよい。
【００３８】
また、図４〜図６を見るとわかるように、ディフューザ１１０は、スピーカ１１２を備えている。具体的には、図１からわかるように、ディフューザ１１０は、上記対称面を跨ぐ位置にスピーカ１１２を備えている。より具体的には、ディフューザ１１０は、上記対称面内に音声出力面の中心が位置するスピーカ１１２を備えている。
【００３９】
スピーカ１１２の音声出力面は、上記特定の半空間内における、ＸＹ平面と平行な方向を向いている。
【００４０】
なお、本実施形態に係るスピーカ１１２は、前述のアンプとは別のアンプに接続される高音出力用のスピーカ（ツイータ）であるが、スピーカ１１２は、他の種類のスピーカ（例えば、ミッドバススピーカやスコーカ、ミッドハイスピーカ等）であってもよい。
【００４１】
また、図４の（ｂ）に示すように、２つの反射面１１１を備えている。
【００４２】
上記２つの反射面１１１のうちの一方の反射面１１１は、第１のスピーカ１２０Ａが発した音を、上記特定の半空間を分割した２つの四分の一空間のうちの一方の四分の一空間内方向に反射する。ここで、一方の四分の一空間とは、上記ＸＹＺ空間座標系における、Ｙ座標値及びＺ座標値が正であるような無数の座標からなる空間のことを指している。
【００４３】
上記２つの反射面１１１のうちの他方の反射面１１１は、第２のスピーカ１２０Ｂが発した音を上記２つの四分の一空間のうちの他方の四分の一空間内方向に反射する。ここで、他方の四分の一空間とは、上記ＸＹＺ空間座標系における、Ｙ座標値が正であり、且つ、Ｚ座標値が負であるような無数の座標からなる空間のことを指している。
【００４４】
換言すれば、ディフューザ１１０の全ての反射面（２つの反射面１１１）上の全ての位置における法線ベクトルのＹ軸成分（第２軸成分）の値は、正負が同じ値になっている。具体的には、どの位置の法線ベクトルのＹ軸成分の値も、正の値になっている。
【００４５】
（テレビジョン受像機）
以下、スピーカシステム１００が設けられているテレビジョン受像機（表示装置）について、更に図７を参照しながら説明する。
【００４６】
図７は、そのようなテレビジョン受像機１における、２つのスピーカシステム１００と表示パネル２００の筐体との間の位置関係を説明するための図である。
【００４７】
なお、図７は、上記位置関係を説明するための図であるので、表示パネル２００の筐体の外観、及び、スピーカシステム１００の外観を正確には示していない。また、図７においては、ディフューザ１１０およびスピーカ１２０の図示も省略している。
【００４８】
図７に示すように、２つのスピーカシステム１００は、表示パネル２００の筐体の左右に配置されている。具体的には、２つのスピーカシステム１００は、各スピーカシステム１００の背面（２つのエンクロージャ部１３０の背面及び連結部材１４０の壁面からなる面）と表示パネル２００の筐体の背面とが面一になるように、配置されている。
【００４９】
（テレビジョン受像機１の音響上の利点）
テレビジョン受像機１の音響上の利点について以下に説明する。
【００５０】
２つのスピーカ１２０は互いの音声出力面が対向している対向スピーカであるため、上記特定の半空間内のどの位置にいる視聴者も、優れた音質の番組音声を聴取することができる。
【００５１】
また、前述の説明から明らかなように、スピーカ１１２はディフューザ１１０に設けられているため、視聴者は、２つのスピーカ１２０が発する音（ディフューザ１１０が反射した音）と、スピーカ１１２が発した音とを同じ方向に知覚することになる。
【００５２】
従って、視聴者は、違和感を受けることなく番組音声を聞くことができる。
【００５３】
さらに、前述のように、ディフューザ１１０は、２つのスピーカ１２０が発した音を、特定の半空間内方向（番組の視聴者がいる半空間の方向）に反射し、もう一方の半空間内方向（番組の視聴者がない半空間の方向）には反射しない。即ち、２つのスピーカ１２０が発した音は、テレビジョン受像機１の背面側には反射しない。
【００５４】
また、前述のように、スピーカシステム１００には壁状の連結部材１４０が設けられている。壁状の連結部材１４０が、２つのスピーカ１２０が発した音が回折現象によってテレビジョン受像機１の背面側に回り込むことを抑制している。
【００５５】
更に、スピーカシステム１００の背面（壁状の連結部材１４０の背面）と、表示パネル２００の筐体の背面とが面一になっていることも、２つのスピーカ１２０が発した音がテレビジョン受像機１の背面側に回り込むことを防ぐことに寄与している。
【００５６】
以上のように、テレビジョン受像機１の背面が部屋の壁と近接するようにテレビジョン受像機１が設置されている場合であっても、２つのスピーカ１２０が発した音は、テレビジョン受像機１の背面と部屋の壁との間の隙間に入り込みにくい。そのため、視聴者が聴取する番組音声は、籠った感じの音声にはなりにくい。
【００５７】
よって、上記特定の半空間内のどの位置にいる視聴者も、非常にクリアな音質の番組音声を聴取することができる。
【００５８】
（スピーカシステム１００の利点）
上述の説明からわかるように、スピーカシステム１００は、テレビジョン受像機１の構成部品として用いられることにより、特に音響上の優れた効果を奏するスピーカ装置であると言える。
【００５９】
さらに、壁状の連結部材１４０、及び、ディフューザ１１０は、２つのスピーカ１２０が並んでいるＺ軸に沿って配置されているので、Ｚ軸の方向を長手方向とする形状のスピーカシステム１００には、小型化（スリム化）が図りやすい、という利点もある。
【００６０】
（付記事項１）
本発明に係る表示装置はテレビジョン受像機１には限定されない。例えば、テレビジョン受像機１と同様の特徴を備えた、デスクトップＰＣ用のディスプレイも、本発明に係る表示装置の範囲に含まれる。
【００６１】
（付記事項２）
テレビジョン受像機１の２つのスピーカ１１２の音声出力面は、表示パネル２００の法線方向から少しだけ（例えば、１８°だけ）表示パネル２００側に傾いた方向を向いていてもよい。これにより、テレビジョン受像機１の正面方向の、一般的に適切と考えられる距離（例えば、表示画面の縦方向の長さの３倍に相当する距離）だけテレビジョン受像機１から離れた位置に居る視聴者は、クリアな高音を聴取することができる。
【００６２】
〔実施形態２〕
本発明の別の実施形態について、更に図８を参照して説明すれば、以下のとおりである。なお、説明の便宜上、前記実施形態にて説明した部材と同じ機能を有する部材については、同じ符号を付記し、その説明を省略する。
【００６３】
図８は、本発明の様々な実施形態に係るスピーカシステムにおけるディフューザ周辺の構造を説明するための図である。
【００６４】
図８の（ａ）は、実施形態１に係るスピーカシステムのＤ−Ｄ’線切断部の断面を示した図であり、図８の（ｂ）は、本実施形態に係るスピーカシステムのＤ−Ｄ’線切断部の断面を示した図である。
【００６５】
本実施形態に係るスピーカシステム及びテレビジョン受像機は、それぞれ、実施形態１に係るスピーカシステム１００及びテレビジョン受像機１と以下の点で異なっている。
【００６６】
即ち、実施形態１では、図８の（ａ）のように、コの字状の連結部材１４０におけるコの字の内側に空間（Ｚ軸に垂直な四方（Ｘ軸正方向、Ｘ軸負方向、Ｙ軸正方向、及び、Ｙ軸負方向）のうちの三方（Ｘ軸正方向、Ｘ軸負方向、及び、Ｙ軸負方向）が連結部材１４０によって囲まれた空間）が存在するのに対し、本実施形態では、図８の（ｂ）のように、連結部材１４０におけるコの字の内側の空間に、該空間を無くすための充填部材４（例えば、板）が充填されている。
【００６７】
上記の点を除き、本実施形態に係るスピーカシステム及びテレビジョン受像機は、それぞれ、実施形態１に係るスピーカシステム１００及びテレビジョン受像機１と同様に構成されている。
【００６８】
本実施形態に係るスピーカシステム及びテレビジョン受像機は、充填部材４を備えることにより、２つのスピーカ１２０が発した音が連結部材１４０におけるコの字の内側の空間に入りこむことによる音質の劣化が生じない、という更なる効果を奏する。
【００６９】
なお、充填部材４は、吸音材料でできていることが望ましい。充填部材４が吸音材料でできていれば、２つのスピーカ１２０が発したテレビジョン受像機１の背面側に回り込もうとする音が充填部材４により吸収されることにより、視聴者が聴取する番組音声が、一層、籠った感じの音声になりにくいからである。
【００７０】
〔実施形態３〕
本発明の更に別の実施形態について、引き続き図８を参照しつつ他の図面も参照して説明すれば、以下のとおりである。なお、説明の便宜上、前記実施形態にて説明した部材と同じ機能を有する部材については、同じ符号を付記し、その説明を省略する。
【００７１】
図８の（ｃ）〜（ｅ）は、本実施形態に係るスピーカシステムの連結部材１４０及びディフューザ１１０’の切断部の断面（連結部材１４０の長手方向に垂直な面で切断した断面）を例示している。
【００７２】
本実施形態に係るスピーカシステム及びテレビジョン受像機は、それぞれ、実施形態１及び２に係るスピーカシステム１００及びテレビジョン受像機１と以下の点のみにおいて異なっている。
【００７３】
即ち、実施形態１及び２では、図６の（ｃ）〜（ｆ）に示すように、ディフューザ１１０をＸＹ平面で切った断面の外縁（輪郭）が半円周状に近い形状を呈しているのに対し、本実施形態では、図８の（ｃ）のように、連結部材１４０の長手方向に垂直な面でディフューザ１１０’を切断した断面の外縁（輪郭）が円周状の形状を呈している。
【００７４】
本実施形態に係るスピーカシステム及びテレビジョン受像機は、実施形態１と同様に（即ち、図８（ｃ）のように）、連結部材１４０におけるコの字の内側の空間に、該空間を無くすための充填部材４が充填されていなくてもよい。あるいは、本実施形態に係るスピーカシステム及びテレビジョン受像機は、実施形態２と同様に（即ち、図８の（ｄ）のように）、該空間に、該空間を無くすための充填部材４が充填されていてもよい。
【００７５】
後者の場合、２つのスピーカ１２０が発した音が連結部材１４０におけるコの字の内側の空間に入りこむことによる音質の劣化が生じなくなる。
【００７６】
なお、図８の（ｄ）を見るとわかるように、後者のスピーカシステム及びテレビジョン受像機においては、充填部材４が充填された連結部材１４０とディフューザ１１０’とによって三方を囲まれた、スピーカシステムの正面からは見えない空間が２つのスピーカ１２０の近くに形成される。
【００７７】
２つのスピーカ１２０が発した音がこの空間に入りこむことによる音質の劣化を避けるために、図８の（ｅ）のように、この空間に別の充填部材４’を充填する（例えば、この空間を無くすための肉盛材をディフューザ１１０’に盛る）ようにしてもよい。
【００７８】
〔実施形態４〕
本発明のその他の実施形態について、引き続き図８を参照しつつ説明する。
【００７９】
図８の（ｆ）は、本発明の一実施形態に係るスピーカシステムの連結部材１４０の切断部の断面（連結部材１４０の長手方向に垂直な面で切断した断面）を示しており、図８の（ｇ）は、本発明の別の一実施形態に係るスピーカシステムの連結部材１４０の切断部の断面（連結部材１４０の長手方向に垂直な面で切断した断面）を示している。
【００８０】
図８の（ｆ）及び（ｇ）からわかるように、壁状の連結部材は、コの字状の連結部材１４０に限定されない。
【００８１】
即ち、壁状の連結部材は、図８の（ｆ）に示すような、断面の形状がＩ字状であるような連結部材１４０Ａであってもよいし、図８の（ｇ）に示すような、断面の形状がＬ字状であるような連結部材１４０Ｂであってもよい。
【００８２】
また、以下の４つのスピーカシステム１００と超大型の表示パネルとを備えたテレビジョン受像機も、本発明に係る表示装置の範囲に含まれる。
・長手方向が表示パネルの上下方向と平行になり、且つ、長手方向の一端の高さが表示パネルの上端の高さと一致するように、表示パネルの左側に設けられたスピーカシステム１００（第１のスピーカシステム１００）
・長手方向が表示パネルの上下方向と平行になり、且つ、長手方向の一端の高さが表示パネルの下端の高さと一致するように、表示パネルの左側に設けられたスピーカシステム１００（第２のスピーカシステム１００）
・長手方向が表示パネルの上下方向と平行になり、且つ、長手方向の一端の高さが表示パネルの上端の高さと一致するように、表示パネルの右側に設けられたスピーカシステム１００（第３のスピーカシステム１００）
・長手方向が表示パネルの上下方向と平行になり、且つ、長手方向の一端の高さが表示パネルの下端の高さと一致するように、表示パネルの右側に設けられたスピーカシステム１００（第４のスピーカシステム１００）
なお、第１のスピーカシステム１００及び第３のスピーカシステム１００の各スピーカ１１２の音声出力面は、上記ＸＹＺ空間座標系におけるＺ座標値が負であるような無数の座標からなる半空間内の方向（ＸＹ平面に平行ではない方向）を向いていることが望ましい。また、第２のスピーカシステム１００及び第４のスピーカシステム１００の各スピーカ１１２の音声出力面は、もう一方の半空間内の方向（ＸＹ平面に平行ではない方向）を向いていることが望ましい。
【００８３】
表示パネルの正面方向、仰角方向、及び、俯角方向のそれぞれに視聴者が居るような視聴環境でテレビジョン受像機を使用する場合であっても、各視聴者がスピーカ１１２からの音を明瞭に聞くことができるからである。
【００８４】
また、同様の理由により、４つのスピーカシステム１００の各々のディフューザ１１０は、以下のように構成されていてもよい。
【００８５】
即ち、第１のスピーカシステム１００及び第３のスピーカシステム１００のディフューザ１１０は、ＸＹ平面に平行な面に対する上側の反射面１１１の傾斜が強く、ＸＹ平面に平行な目に対する下側の反射面１１１の傾斜が弱くなるように形成されてもよい。
【００８６】
換言すれば、ＸＹ平面に平行な面と上側の反射面１１１とがなす角度が大きく、且つ、ＸＹ平面に平行な面と下側の反射面１１１とがなす角度が小さくなっていてもよい。例えば、前者の角度が４５°を上回り、後者の角度が４５°を下回っていてもよい。
【００８７】
これにより、第１のスピーカシステム１００の２つのスピーカ１２０が発した音、及び、第３のスピーカシステム１００の２つのスピーカ１２０が発した音の、表示パネルの正面方向または俯角方向に位置する空間における音圧レベルが高まることになる。
【００８８】
同様に、第２のスピーカシステム１００及び第４のスピーカシステム１００のディフューザ１１０は、ＸＹ平面に平行な面に対する上側の反射面１１１の傾斜が弱く、当該面に対する下側の反射面１１１の傾斜が強くなるように形成されてもよい。
【００８９】
換言すれば、ＸＹ平面に平行な面と上側の反射面１１１とがなす角度が小さく、且つ、ＸＹ平面に平行な面と下側の反射面１１１とがなす角度が大きくなっていてもよい。例えば、前者の角度が４５°を下回り、後者の角度が４５°を上回っていてもよい。
【００９０】
これにより、第２のスピーカシステム１００の２つのスピーカ１２０が発した音、及び、第４のスピーカシステム１００の２つのスピーカ１２０が発した音の、表示パネルの正面方向または仰角方向に位置する空間における音圧レベルが高まることになる。
【００９１】
〔実施形態５〕
本発明に係るスピーカシステム及び表示装置のその他のバリエーションについて図９を参照しつつ説明する。
【００９２】
図９は、本発明の更に別の実施形態に係るスピーカシステム１００’の外観を概略的に示す図である。
【００９３】
本発明に係るスピーカシステムの範囲には、任意の形状のディフューザを備えたスピーカシステムが含まれる。
【００９４】
例えば、本発明に係るスピーカシステムの範囲には、図９に示すスピーカシステムも含まれる。即ち、第１のスピーカ１２０Ａ及び第２のスピーカ１２０Ｂが発した音を、特定の半空間内方向ではなく全周方向に反射するディフューザ１１０Ｂを備えたスピーカシステム１００’も本発明に係るスピーカシステムの範囲に含まれる。
【００９５】
また、本発明に係る表示装置の範囲には、スピーカシステム１００’を備えたテレビジョン受像機も含まれる。
【００９６】
各実施形態のスピーカシステム及びテレビジョン受像機には、スピーカ１１２を備えたディフューザが設けられているが、本発明はそのような構成には限定されない。即ち、各実施形態のスピーカシステム及びテレビジョン受像機には、スピーカ１１２を備えていないディフューザが設けられていてもよい。
【００９７】
〔実施形態６〕
本発明の更に別の実施形態について説明すれば、以下のとおりである。なお、説明の便宜上、前記各実施形態にて説明した部材と同じ機能を有する部材については、同じ符号を付記し、その説明を省略する。
【００９８】
（スピーカシステムの構成）
図１０は、本発明の更に別の実施形態に係るスピーカシステムの外観を概略的に示す図である。図１０に示すスピーカシステム３００は、前記実施形態５の図９に示すスピーカシステム１００’の外観とほぼ同じであるが、ディフューザ１１０Ｂが第３のスピーカ１５０を備えている点で異なる。
【００９９】
第１のスピーカ１２０Ａ及び第２のスピーカ１２０Ｂは、アンプ（第１スピーカ駆動部３１３：図１２）に接続される中低音出力用のスピーカであり、第３のスピーカ１５０は、第１のスピーカ１２０Ａ及び第２のスピーカ１２０Ｂに接続されたアンプとは別のアンプ（第２スピーカ駆動部３１４：図１２）に接続される中高音出力用のスピーカである。
【０１００】
本実施形態では、第１のスピーカ１２０Ａ及び第２のスピーカ１２０Ｂとしてミッドバススピーカを用い、第３のスピーカ１５０としてスコーカを用いる。なお、第１のスピーカ１２０Ａ及び第２のスピーカ１２０Ｂは、ミッドバススピーカに限定されるものではなく、音場重視型の指向性を有する中低音出力用のスピーカであればよい。また、第３のスピーカ１５０は、スコーカに限定されるものではなく、音像重視型の指向性を有する中高音出力用のスピーカであればよい。
【０１０１】
スピーカシステム３００では、第１のスピーカ１２０Ａ及び第２のスピーカ１２０Ｂが担当する音域の一部を、第３のスピーカ１５０が担当する音域よりも低くしている。
【０１０２】
第１のスピーカ１２０Ａ及び第２のスピーカ１２０Ｂが発した音は、ディフューザ１１０Ｂによって全周方向に反射するようになっているため、聴取者が居る空間を含む周囲に音が広がるようになっている。
【０１０３】
一方、第３のスピーカ１５０の音声出力面は、聴取者が居る空間に向くようにディフューザ１１０Ｂ内に設けられている。これにより、第３のスピーカ１５０が発した音は、指向性が高く、聴取者の居る方向に向かうので、聴取者が聞き取りやすくなる。つまり、第３のスピーカ１５０が発した音は、中高音域の音であり、例えばニュースを読むアナウンサーの声と同じ音域の音であるため、聴取者はアナウンサーの声が聞き取りやすくなる。
【０１０４】
（スピーカシステムの指向性）
図１１は、スピーカシステムの指向性を説明するための図であり、（ａ）は、音像重視型の指向性、（ｂ）は音場重視型の指向性を示す。ここで、図１１の（ａ）に示す音像重視型の指向性は、一般的なスピーカシステムの指向性を示し、図１１の（ｂ）に示す音場重視の指向性は、本発明の実施形態１〜５に記載されたスピーカシステムの指向性を示す。
【０１０５】
音像重視型の指向性と音場重視型の指向性におけるそれぞれのメリット・デメリットについて説明する。
【０１０６】
図１１に示すように、２つのスピーカシステム３００を所定の間隔で配置し、その中央から所定の距離離れた位置に聴取者Ｘが居る場合を考える。
【０１０７】
まず、音像重視型の指向性では、２つのスピーカシステム３００から出力されるステレオ音声のＬｃｈ（左チャンネル）の音はほとんど聴取者Ｘの左耳に、Ｒｃｈ（右チャンネル）の音はほとんど聴取者Ｘの右耳に入る。このように、音像重視型の指向性では、あまり音の広がりを必要としない、ニュースなどの人の声がメインの場合に好適である反面、ライブ音源や映画などではスピーカシステム３００の配置間隔以上の音の広がり感が余り得られず、また、聴取者Ｘが視聴位置から少しでも左右にずれると片側の音が支配的になり、ステレオ感も得られない。
【０１０８】
一方、音場重視型の指向性では、２つのスピーカシステム３００から出力されるステレオ音声の両ｃｈの音が聴取者Ｘの左耳及び右耳に入る。このように、聴取者の両耳に両ｃｈの音が入ることで、スピーカシステム３００の配置間隔以上の音の広がり感が得られるので、音の広がり感を必要とするライブ音源、映画などの視聴に好適であり、聴取者Ｘが視聴位置から多少左右にずれてもステレオ感は損なわない反面、音が広がりすぎて人の声が聞き取りにくいため、ニュースなどの人の声がメインの場合にあまり適さない。
【０１０９】
つまり、音像重視型の指向性と音場重視型の指向性は相反するメリット・デメリットを有していることになる。そこで、本実施形態に係るスピーカシステム３００は、音像重視型の指向性と音場重視型の指向性の両方のメリットを有するように、出力する音声の種類、すなわち出力する音声データのソース（ニュース、ライブ、映画など）に応じて、図１１の（ａ）に示す音像重視型の指向性と図１１の（ｂ）に示す音場重視型の指向性とを切り換える。以下に、スピーカシステム３００における音像重視型の指向性と音場重視型の指向性との切り換え制御について説明する。
【０１１０】
（スピーカシステムの駆動制御）
図１２は、スピーカシステム３００の駆動を制御する駆動制御部３１０の概略ブロック図である。
【０１１１】
駆動制御部３１０は、入力された音声データから出力する音声の種類（音声データのソース）を判定する判定部３１１と、判定部３１１の判定結果を用いて、上記第１のスピーカ１２０Ａ及び第２のスピーカ１２０Ｂによる出力と、上記第３のスピーカ１５０による出力との比率を制御する出力制御部３１２と、出力制御部３１２によって制御された比率に応じた出力を第１のスピーカ１２０Ａ及び第２のスピーカ１２０Ｂに与える第１スピーカ駆動部３１３と、出力制御部３１２によって制御された比率に応じた出力を第３のスピーカ１５０に与える第２スピーカ駆動部３１４と、を含んでいる。
【０１１２】
図１３は、音声データのソースの種類（ソースジャンル）と、第１のスピーカ・第２のスピーカの出力比率と、第３のスピーカの出力比率との関係を示す表である。
【０１１３】
出力制御部３１２は、判定部３１１からの判定結果から音声データのソースジャンルを特定し、特定したソースジャンルから図１３に示す表を参照して、第１のスピーカ・第２のスピーカの出力比率と、第３スピーカの出力比率とを決定し、決定した出力比率から第１のスピーカ・第２のスピーカ及び第３のスピーカそれぞれの制御信号を生成し、第１スピーカ駆動部３１３及び第２スピーカ駆動部３１４それぞれに出力する。
【０１１４】
第１スピーカ駆動部３１３は、受け取った制御信号に基づき第１のスピーカ１２０Ａ・第２のスピーカ１２０Ｂを駆動し、第２スピーカ駆動部３１４は、受け取った制御信号に基づき第３のスピーカ１５０を駆動する。
【０１１５】
例えば、ソースジャンルがニュース・報道であれば、図１３に示すように、第１のスピーカ・第２のスピーカの出力比率は０、第３スピーカの出力比率は１００である。この場合、第１のスピーカ・第２のスピーカから音が発せられず、第３スピーカからのみ音が発せられるので、図１１の（ａ）に示す音像重視型の指向性となり、聴視者Ｘはニュースを読むアナウンサーの声が聞き取りやすくなる。一方、ソースジャンルが音楽であれば、第１のスピーカ・第２のスピーカの出力比率は１００、第３スピーカの出力比率は０である。この場合、第１のスピーカ・第２のスピーカからのみ音が発せられ、第３スピーカから音が発せられないので、図１１の（ｂ）に示す音場重視型の指向性となり、視聴者Ｘは音の広がりを感じ、ライブ感を得ることができる。
【０１１６】
また、ソースジャンルがバラエティであれば、ある程度の音の広がりが必要なため、第１のスピーカ・第２のスピーカの出力比率は２０、第３スピーカの出力比率は８０であり、図１１の（ａ）に示す音像重視型の指向性となる。
【０１１７】
さらに、ソースジャンルが映画であれば、音の広がりが必要であるが、音声の聞き取りも必要となるため、第１のスピーカ・第２のスピーカの出力比率は７０、第３スピーカの出力比率は３０であり、図１１の（ａ）に示す音場重視型の指向性となる。
【０１１８】
他のソースジャンルにおいても同様に、予め設定されている第１のスピーカ・第２のスピーカの出力比率と、第３のスピーカの出力比率とにより、スピーカシステム３００が発する音の指向性が決まる。
【０１１９】
このように、スピーカシステム３００では、駆動制御部３１０を用いて、各スピーカの出力比率をソースジャンルに応じて振り分けることで、音場重視型の指向性と音像重視型の指向性とを選択することができる。このように、特定されたソースジャンルが音声メインのソースであれば、第３のスピーカからの出力比率を高くし、特定されたソースジャンルが臨場感を楽しむためのソースであれば、第１のスピーカ・第２のスピーカの出力比率を高くすることで、ソースジャンルに適した音場音像を得ることができるので、どのソースジャンルの音も常に聴取者に違和感を与えることなく聞かせることが可能となる。
【０１２０】
なお、ソースジャンルに応じた各スピーカの出力比率の振り分けは、上述のように、駆動制御部３１０によって自動的に行うことに限定されるものではなく、ユーザ（聴取者）自身が操作パネル（図示せず）を操作して行ってもよい。
【０１２１】
また、本実施形態に係るスピーカシステム３００では、第１のスピーカ１２０Ａ及び第２のスピーカ１２０Ｂが発した音を、特定の半空間内方向ではなく全周方向に反射するディフューザ１１０Ｂを備えた例について説明したが、これに限定されるものではなく、前記実施形態１等で用いた特定の半空間内方向に反射するディフューザ１１０を用いてもよい。この場合、前記実施形態１の図４に示すディフューザ１１０が備えている高音出力用のスピーカ１１２を、本実施形態で説明した中高音出力用の第３のスピーカ１５０に置き換えればよい。
【０１２２】
（テレビジョン受像機）
本実施形態に係るスピーカシステム３００は、前記の実施形態１の図７に示すテレビジョン受像機（表示装置）が備えたスピーカシステム１００と置き換えることにより、テレビジョン受像機のスピーカシステムとして用いてもよい。この場合、スピーカシステム３００から発せられる音は、テレビジョン受像機にて視聴するソースジャンルに適した指向性となるため、どのソースジャンルの音も常に視聴者に違和感を与えることなく聞かせることができる。
【０１２３】
また、各実施形態のスピーカシステム及びテレビジョン受像機には、第１のエンクロージャ部１３０Ａと第２のエンクロージャ部１３０Ｂとを連結する連結部材として壁状の連結部材が設けられているが、本発明はそのような構成には限定されない。即ち、連結部材は、例えば、断面が円形を呈する細長い棒状部材であってもよい。
【０１２４】
〔まとめ〕
本発明の態様１に係るスピーカシステム（スピーカシステム１００）は、互いの音声出力面（音声出力面１２１Ａ、１２１Ｂ）が対向している第１のスピーカ（第１のスピーカ１２０Ａ）および第２のスピーカ（第２のスピーカ１２０Ｂ）を備えたスピーカシステムであって、第１のスピーカと第２のスピーカとの間に設けられ、第１のスピーカおよび第２のスピーカが発した音を反射するディフューザ（ディフューザ１１０）を備え、上記ディフューザは、特定の半空間内方向に、第１のスピーカおよび第２のスピーカが発した音を反射する。
【０１２５】
上記の構成によれば、上記スピーカシステムでは対向配置型のスピーカが音を発するので、上記スピーカシステムは、最適な音場を広い範囲に形成できる。
【０１２６】
上記の構成によれば、第１のスピーカおよび第２のスピーカが発した音は、特定の半空間内方向に反射されるが、もう一方の半空間内方向には反射されない。
【０１２７】
即ち、上記スピーカシステムをテレビ用のスピーカシステムとして利用する場合、テレビの前方の空間が上記特定の半空間内に入り、テレビの後方の空間が上記もう一方の半空間内に入るようにスピーカシステムを配置すれば、第１のスピーカおよび第２のスピーカが発した音は、テレビの背面側には反射されない。
【０１２８】
従って、上記スピーカシステムには、「テレビ用のスピーカシステムとして利用しても、テレビの背面側に音が入り込むことに起因する音質の劣化が生じにくい」という利点があると言える。
【０１２９】
また、ディフューザが第１のスピーカと第２のスピーカとの間に設けられているため、上記スピーカシステムには、「従来のスピーカシステムに比べて小型化（スリム化）が図りやすい」という利点もあると言える。
【０１３０】
本発明の態様２に係るスピーカシステムは、上記態様１において、互いに直交する第１軸（Ｚ軸）、第２軸（Ｙ軸）及び第３軸（Ｘ軸）が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、上記ディフューザの全ての反射面上の全ての位置における法線ベクトルの第２軸成分の値は、正負が同じ値であってもよい。
【０１３１】
本発明の態様３に係るスピーカシステムは、上記態様２において、上記ディフューザが、第１軸に垂直な面（ＸＹ平面）を対称面とする面対称な形状（略又は完全に面対称な形状）を呈していてもよい。
【０１３２】
ここで、特定の半空間とは、上記空間（全空間）を第１軸及び第３軸を含む平面で分割した２つの半空間のうちの、以下のような半空間を指している。
上記ディフューザの全ての反射面上の全ての位置における法線ベクトルの第２軸成分の値が正である場合：第２軸成分の値が正であるような無数の座標からなる半空間
上記ディフューザの全ての反射面上の全ての位置における法線ベクトルの第２軸成分の値が負である場合：第２軸成分の値が負であるような無数の座標からなる半空間
上記の構成によれば、上記特定の半空間を上記対称面で分割した２つの四分の一空間のうちの一方の四分の一空間における第１のスピーカからの音の音圧分布と、上記２つの四分の一空間のうちの他方の四分の一空間における第２のスピーカからの音の音圧分布とが同じになる。
【０１３３】
従って、上記スピーカシステムは、視聴者が起立した時や着席した時（即ち、視聴者の耳が一方の四分の一空間内（例えば、上記対称面よりも低い位置）から他方の四分の一空間内（例えば、上記対称面よりも高い位置）に移動した時）にも、スピーカシステムが発する音によって視聴者に違和感を与えない、という更なる効果を奏する。
【０１３４】
本発明の態様４に係るスピーカシステム（スピーカシステム１００）は、互いの音声出力面（音声出力面１２１Ａ、１２１Ｂ）が対向している第１のスピーカ（第１のスピーカ１２０Ａ）および第２のスピーカ（第２のスピーカ１２０Ｂ）を備えたスピーカシステムであって、第１のスピーカおよび第２のスピーカが発した音を反射するディフューザ（ディフューザ１１０）を備え、互いに直交する第１軸（Ｚ軸）、第２軸（Ｙ軸）及び第３軸（Ｘ軸）が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、上記ディフューザの全ての反射面上の全ての位置における法線ベクトルの第２軸成分の値は、正負が同じ値である。
【０１３５】
上記の構成によれば、上記スピーカシステムは、上記態様１に係るスピーカシステムと同様の作用効果を奏する。
【０１３６】
本発明の態様５に係る表示装置（テレビジョン受像機１）は、上記態様１〜上記態様４のいずれかの態様のスピーカシステムと表示パネル（表示パネル２００）とを備えている。
【０１３７】
上記の構成によれば、上記表示装置には、最適な音場を広い範囲に形成でき、小型化（薄型化）が図りやすく、且つ、自装置の背面側に音が入りこむことに起因する音質の劣化が生じにくい、という利点がある。
【０１３８】
本発明の態様６に係るスピーカシステム（スピーカシステム１００、３００）は、互いの音声出力面（音声出力面１２１Ａ、１２１Ｂ）が対向している第１のスピーカ（第１のスピーカ１２０Ａ）および第２のスピーカ（第２のスピーカ１２０Ｂ）を備えたスピーカシステムにおいて、第１のスピーカと第２のスピーカとの間に設けられ、第１のスピーカおよび第２のスピーカが発した音を反射するディフューザ（ディフューザ１１０、ディフューザ１１０Ｂ）を備え、上記ディフューザが第３のスピーカ（スピーカ１１２、第３のスピーカ１５０）を備えている。
【０１３９】
上記の構成によれば、上記ディフューザは、対向配置された１対のスピーカ（第１のスピーカおよび第２のスピーカ）が発した音を反射するので、聴取者は、対向配置された１対のスピーカが発した音を上記ディフューザの方向に知覚する。
【０１４０】
また、上記ディフューザは第３のスピーカを備えているので、聴取者は、第３のスピーカが発した音を上記ディフューザの方向に知覚する。
【０１４１】
そして、聴取者は、対向配置された１対のスピーカを含む３つのスピーカ（スピーカ群）が発した音を同じ方向に知覚するので、「２つの異なる方向から同じ内容の指向性の高い音が聞こえることによる違和感」を受けることはない。
【０１４２】
従って、上記スピーカシステムは、対向配置された１対のスピーカを含む３つのスピーカ（スピーカ群）が発する音を、聴取者に違和感を与えることなく聞かせることができる、という効果を奏する。
【０１４３】
なお、ディフューザが第１のスピーカと第２のスピーカとの間に設けられているため、上記スピーカシステムには、「従来のスピーカシステムに比べて小型化（スリム化）が図りやすい」という利点もあると言える。
【０１４４】
本発明の態様７に係るスピーカシステムは、上記態様６において、第１のスピーカ（第１のスピーカ１２０Ａ）および第２のスピーカ（第２のスピーカ１２０Ｂ）が担当する音域の一部は、第３のスピーカ（第３のスピーカ１５０）が担当する音域よりも低いことが好ましい。
【０１４５】
上記の構成によれば、上記スピーカシステムは、聴取者に対し、「２つの異なる方向から同じ内容の指向性の高い音が聞こえることによる違和感」を与えずに、中高音域の音を聞かせることができる、という更なる効果を奏する。
【０１４６】
本発明の態様８に係るスピーカシステムは、上記態様６または７において、第１のスピーカ（第１のスピーカ１２０Ａ）および第２のスピーカ（第２のスピーカ１２０Ｂ）がミッドバススピーカであり、第３のスピーカ（スピーカ１１２）がツイータであってもよい。
【０１４７】
上記の構成によれば、第３のスピーカがツイータであることで、特に高音域の音を違和感なく聴取者に聞かせることができる。
【０１４８】
本発明の態様９に係るスピーカシステムは、上記態様６または７において、第１のスピーカ（第１のスピーカ１２０Ａ）および第２のスピーカ（第２のスピーカ１２０Ｂ）がミッドバススピーカであり、第３のスピーカ（第３のスピーカ１５０）がスコーカであってもよい。
【０１４９】
上記の構成によれば、第３のスピーカがスコーカであることで、特に中高音域の音を違和感なく聴取者に聞かせることができる。つまり、人の声を違和感なく聴取者に聞かせることができる。
【０１５０】
本発明の態様１０に係るスピーカシステムは、上記態様６〜上記態様９の何れかの態様において、互いに直交する第１軸（Ｚ軸）、第２軸（Ｙ軸）及び第３軸（Ｘ軸）が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、上記ディフューザは、第１軸に垂直な面（ＸＹ平面）を対称面とする面対称な形状（略又は完全に面対称な形状）をしていてもよい。
【０１５１】
上記の構成によれば、上記空間（全空間）を上記対称面で分割した２つの半空間のうちの一方の半空間における第１のスピーカからの音の音圧分布と、上記２つの半空間のうちの他方の半空間における第２のスピーカからの音の音圧分布とが同じになる。
【０１５２】
従って、上記スピーカシステムは、視聴者が起立した時や着席した時（即ち、視聴者の耳が一方の半空間内（例えば、上記対称面よりも低い位置）から他方の半空間内（例えば、上記対称面よりも高い位置）に移動した時）にも、スピーカシステムが発する音によって視聴者に違和感を与えない、という更なる効果を奏する。
【０１５３】
本発明の態様１１に係るスピーカシステムは、上記態様１０において、上記対称面が、第１のスピーカの音声出力面からの距離と第２のスピーカの音声出力面からの距離とが等しい面（両方の距離が略又は完全に等しい面）であり、上記ディフューザは、上記対称面を跨る位置に第３のスピーカを備えていてもよい。
【０１５４】
上記の構成によれば、上記スピーカシステムは、第３のスピーカが発する音をより明瞭に聞かせることができる、という更なる効果を奏する。
【０１５５】
本発明の態様１２に係るスピーカシステムは、上記態様６〜上記態様１１の何れかの態様において、出力する音声の種類を判定する判定部（判定部３１１）と、上記判定部の判定結果を用いて、上記第１のスピーカ及び第２のスピーカによる出力と、上記第３のスピーカによる出力との比率を制御する出力制御部（出力制御部３１２）と、をさらに備えていてもよい。
【０１５６】
上記の構成によれば、出力する音声の種類に応じた、第１のスピーカ及び第２のスピーカによる出力と、上記第３のスピーカによる出力との比率によって、スピーカシステムから音が発せられるため、どのような音声の種類（ソースジャンル）であっても聴取者に違和感を与えることなく聞かせることが可能となる。
【０１５７】
本発明の態様１３に係る表示装置（テレビジョン受像機１）は、上記態様６〜上記態様１２のいずれかの態様のスピーカシステムと表示パネル（表示パネル２００）とを備えている。
【０１５８】
上記の構成によれば、上記表示装置には、対向配置された１対のスピーカを含むスピーカ群が発する音を聴取者に違和感を与えることなく聞かせることができ、且つ、小型化（薄型化）が図りやすい、という利点がある。
【０１５９】
本発明の態様１４に係る表示装置は、上記態様１３において、上記スピーカシステムが上記表示パネルの左右に設けられており、２つの上記スピーカシステムの各々について、該スピーカシステムが備える第３のスピーカの音声出力面が上記表示パネルの法線方向よりも上記表示パネル側に傾いた方向を向いていてもよい。
【０１６０】
上記の構成によれば、上記表示装置は、上記表示装置の正面に居る視聴者に、第３のスピーカが発する音をより明瞭に聞かせることができる、という更なる効果を奏する。
【０１６１】
本発明の態様１５に係るスピーカシステム（スピーカシステム１００）は、互いの音声出力面（音声出力面１２１Ａ、１２１Ｂ）が対向している第１のスピーカ（第１のスピーカ１２０Ａ）および第２のスピーカ（第２のスピーカ１２０Ｂ）を備え、第１のスピーカが入っている第１のエンクロージャ部（第１のエンクロージャ部１３０Ａ）と第２のスピーカが入っている第２のエンクロージャ部（第２のエンクロージャ部１３０Ｂ）との間に、第１のエンクロージャ部と第２のエンクロージャ部とを連結する壁状の連結部材（連結部材１４０）を備えている。
【０１６２】
上記の構成によれば、上記スピーカシステムでは対向配置型のスピーカが音を発するので、上記スピーカシステムは、最適な音場を広い範囲に形成できる。
【０１６３】
上記の構成によれば、第１のスピーカおよび第２のスピーカが発した音は、第１のエンクロージャ部と第２のエンクロージャ部とを連結する壁状の連結部材の背面側（即ち、スピーカシステムの背面側）に回りこみにくい。
【０１６４】
従って、上記スピーカシステムには、「テレビ用のスピーカシステムとして利用しても、テレビの背面側に音が入り込むことに起因する音質の劣化が生じにくい」という利点があると言える。
【０１６５】
また、壁状の連結部材が第１のエンクロージャ部と第２のエンクロージャ部との間に設けられているため、上記スピーカシステムには、「従来のスピーカシステムに比べて小型化（スリム化）が図りやすい」という利点もあると言える。
【０１６６】
本発明の態様１６に係るスピーカシステムは、上記態様１５において、上記連結部材の全体又は一部が吸音材料でできていてもよい。
【０１６７】
上記の構成によれば、第１のスピーカおよび第２のスピーカが発し、上記スピーカシステムの背面側に向かう音を、上記吸音材料でできた壁状の連結部材が吸収する。
【０１６８】
従って、上記スピーカシステムには、「テレビ用のスピーカシステムとして利用しても、テレビの背面側に音が入り込むことに起因する音質の劣化が一層生じにくい」という利点があると言える。
【０１６９】
本発明の態様１７に係るスピーカシステムは、上記態様１５または１６において、第１のスピーカと第２のスピーカとの間に設けられ、第１のスピーカおよび第２のスピーカが発した音を反射するディフューザ（ディフューザ１１０）を備え、上記ディフューザが上記連結部材に取り付けられていてもよい。
【０１７０】
上記の構成によれば、上記スピーカシステムは、第１のスピーカ及び第２のスピーカが発した音をより明瞭に聴取者に聞かせることができる、という更なる効果を奏する。
【０１７１】
本発明の態様１８に係るスピーカシステムは、上記態様１７において、互いに直交する第１軸（Ｚ軸）、第２軸（Ｙ軸）及び第３軸（Ｘ軸）が規定された空間座標系で表わされる空間内において、第１のスピーカ、第２のスピーカ、および、上記ディフューザが、第１軸に沿って、第１のスピーカ、上記ディフューザ、第２のスピーカの順に並置されており、上記壁状の連結部材は、第１軸に垂直な四方のうちの三方が上記連結部材によって囲まれた空間を内側に形成しており、上記空間に充填部材が充填されていてもよい。なお、上記壁状の連結部材の第１軸に垂直な断面の形状は、コの字状であってもよいし（例えば、スピーカシステムの形状が細長い四角柱である場合）、円弧状であってもよいし（例えば、スピーカシステムの形状が細長い円柱である場合）、その他の形状であってもよい。
【０１７２】
上記の構成によれば、上記スピーカシステムは、第１のスピーカ及び第２のスピーカが発した音が上記空間に入りこむことに起因する音質の劣化を防ぐことができる、という更なる効果を奏する。
【０１７３】
本発明の態様１９に係るスピーカシステムは、上記態様１８において、上記充填部材が充填された連結部材と上記ディフューザとに囲まれた空間が別の充填部材（充填部材４’）によって充填されていてもよい。
【０１７４】
上記の構成によれば、上記表示装置には、上記の構成によれば、上記スピーカシステムは、第１のスピーカ及び第２のスピーカが発した音が上記空間に入りこむことに起因する音質の劣化を防ぐことができる、という更なる効果を奏する。
【０１７５】
本発明の態様２０に係る表示装置（テレビジョン受像機１）は、上記態様１５〜上記態様１９のいずれかの態様のスピーカシステムと表示パネル（表示パネル２００）とを備えている。
【０１７６】
上記の構成によれば、上記表示装置には、最適な音場を広い範囲に形成でき、小型化（薄型化）が図りやすく、且つ、自装置の背面側に音が入りこむことに起因する音質の劣化が生じにくい、という利点がある。
【０１７７】
本発明の態様２１に係る表示装置は、上記態様２０において、上記表示パネルの筐体の周囲に上記スピーカシステムが配置されており、上記連結部材の壁面と上記筐体の背面とが面一になっていてもよい。
【０１７８】
上記の構成によれば、第１のスピーカおよび第２のスピーカが発した音はより一層、上記表示装置の背面側には回りにくくなる。
【０１７９】
従って、上記スピーカシステムには、「テレビ用のスピーカシステムとして利用しても、テレビの背面側に音が入り込むことに起因する音質の劣化が一層生じにくい」という利点があると言える。
【０１８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１８１】
１            テレビジョン受像機（表示装置）
１００          スピーカシステム
１１０            ディフューザ
１１１              反射面
１１２              スピーカ（第３のスピーカ、ツイータ）
１２０Ａ            第１のスピーカ（ミッドバススピーカ）
１２０Ｂ            第２のスピーカ（ミッドバススピーカ）
１２１Ａ          音声出力面
１２１Ｂ          音声出力面
１３０          エンクロージャ部
１４０          連結部材
１５０          第３のスピーカ
２００          表示パネル
３００          スピーカシステム
３１０          駆動制御部
３１１          判定部
３１２          出力制御部
【図１】
2017002876.tif 000003
【図２】
2017002876.tif 000004
【図３】
2017002876.tif 000005
【図４】
2017002876.tif 000006
【図５】
2017002876.tif 000007
【図６】
2017002876.tif 000008
【図７】
2017002876.tif 000009
【図８】
2017002876.tif 000010
【図９】
2017002876.tif 000011
【図１０】
2017002876.tif 000012
【図１１】
2017002876.tif 000013
【図１２】
2017002876.tif 000014
【図１３】
2017002876.tif 000015
【国際調査報告】
2017002876.tif 000016
2017002876.tif 000017
2017002876.tif 000018
2017002876.tif 000019